(57)【要約】【課題】フィルタに付着した塵埃を除去する清掃ブラシの配置を工夫して、移動するフィルタから塵埃を確実に除去できるようにする。【解決手段】空気調和機の吸込口に設けられるフィルタ８では、吸い込まれた空気がフィルタ８の表面から裏面に通り抜ける。フィルタ８から塵埃を除去するための塵埃ボックス２３に、複数の清掃ブラシ２４，２５が内装される。フィルタ８は、左右方向に移動しながら、除塵ボックス２３を通過する。フィルタ８の裏面に接触する下側の清掃ブラシ２５は、フィルタ８の表面に接触する上側の清掃ブラシ２４よりもフィルタ８の移動方向において上流側に配置される。フィルタ８が除塵ボックス２３を通過するとき、下側の清掃ブラシ２４により、フィルタ８の目に詰まった塵埃が押し上げられる。その後、上側の清掃ブラシ２５により、フィルタ８の表面から塵埃が掻き取られる。【選択図】図５
2010127515.tif 000002
【特許請求の範囲】
【請求項１】
通り抜ける空気から塵埃を捕集するフィルタを清掃するフィルタ清掃装置であって、内部を通過するフィルタから塵埃を除去するための除塵部を備え、除塵部に、複数の清掃ブラシが、通過するフィルタを挟んで対向して設けられ、各清掃ブラシは、フィルタの移動方向に対してずれて配置されたことを特徴とするフィルタ清掃装置。
【請求項２】
フィルタの表面から裏面に空気が通り抜けるとき、フィルタの裏面に接触する清掃ブラシは、表面に接触する清掃ブラシよりもフィルタの移動方向の上流側に位置することを特徴とする請求項１記載のフィルタ清掃装置。
【請求項３】
裏面側の清掃ブラシが、フィルタの移動方向に沿って表面側の清掃ブラシを挟んで両側に配置されたことを特徴とする請求項２記載のフィルタ清掃装置。
【請求項４】
裏面側の清掃ブラシと表面側の清掃ブラシとは異なる種類のブラシとされたことを特徴とする請求項１〜３のいずれかに記載のフィルタ清掃装置。
【請求項５】
請求項１〜４のいずれかに記載のフィルタ清掃装置を搭載したことを特徴とする空気調節装置。
【発明の詳細な説明】
【技術分野】
【０００１】
本発明は、空気調和機等の空気調節装置に装着されたフィルタを清掃するためのフィルタ清掃装置に関する。
【背景技術】
【０００２】
空気調和機の室内ユニットでは、吸込口から空気を吸い込んで、熱交換した空気を吹出口から吹き出す。吸込口に、吸い込んだ空気の塵埃を捕集するフィルタが設けられる。そして、このフィルタを清掃するフィルタ清掃装置が設けられ、フィルタに付着した塵埃が除去される。
【０００３】
フィルタ清掃装置として、特許文献１には、清掃ブラシを内装した除塵ボックスを備え、除塵ボックスの内部の空気を吸引する吸引部が設けられている。フィルタは移動可能とされ、フィルタは、除塵ボックスを貫通するように除塵ボックスの内部を通過する。このとき、除塵ボックスはフィルタの両面を覆う。清掃ブラシにより、通過するフィルタから塵埃が除去され、フィルタから取り除かれた塵埃が吸引されて、除塵ボックスの外部に排出される。
【０００４】
除塵ボックスには、回転駆動される一対の清掃ブラシが設けられる。清掃ブラシは、複数のブレードを有し、弾力性を有するブレードは、回転軸の外周に螺旋状に巻き付けられている。各清掃ブラシがフィルタの表裏面にそれぞれ接触するように、各清掃ブラシが通過するフィルタを挟んで対向して配置される。
【特許文献１】特開２００７−１８３０８１号公報
【発明の開示】
【発明が解決しようとする課題】
【０００５】
特許文献１においては、フィルタが除塵フィルタを通過するとき、清掃ブラシは回転するので、対向する清掃ブラシのブレードがフィルタの表面および裏面に常に接触する。ブレードは、フィルタの表裏面に対して同じ位置で接触する。すなわち、移動するフィルタは、清掃ブラシによって両側から挟みつけられる。移動するフィルタの抵抗となり、モータに負荷がかかる。そのため、フィルタがスムーズに移動しなくなり、フィルタの清掃むらが生じるおそれがある。また、フィルタに付着した塵埃がブレードによって両側から押えられ、フィルタの目に詰まるおそれがあり、フィルタをきれいに清掃できない。
【０００６】
本発明は、上記に鑑み、フィルタに付着した塵埃をより確実に除去できるフィルタ清掃装置の提供を目的とする。
【課題を解決するための手段】
【０００７】
本発明は、通り抜ける空気から塵埃を捕集するフィルタを清掃するフィルタ清掃装置であって、内部を通過するフィルタから塵埃を除去するための除塵部を備え、除塵部に、複数の清掃ブラシが、通過するフィルタを挟んで対向して設けられ、各清掃ブラシは、フィルタの移動方向に対してずれて配置されたものである。
【０００８】
複数の清掃ブラシは、フィルタを挟んで配置されるが、互いにずれて配置されるので、清掃ブラシ同士が直接対向することはない。これにより、フィルタが清掃ブラシによって両側から挟み付けられることはなく、フィルタの移動に対する抵抗がなくなって、清掃中、フィルタはスムーズに移動する。
【０００９】
フィルタの表面から裏面に空気が通り抜けるとき、フィルタの裏面に接触する清掃ブラシは、表面に接触する清掃ブラシよりもフィルタの移動方向の上流側に位置する。この場合、フィルタの表面側に多く塵埃が付着する。移動するフィルタに対して、清掃ブラシは、先にフィルタの裏面に接触する。フィルタの目に詰まっている塵埃が表面側に押し出される。この後、フィルタの表面に接触する清掃ブラシによって、フィルタの表面から塵埃が取り除かれる。
【００１０】
除塵部に対して、フィルタが一側からだけでなく他側からも進入してくる場合、裏面側の清掃ブラシが、フィルタの移動方向に沿って表面側の清掃ブラシを挟んで両側に配置される。いずれの側からフィルタが移動してきても、必ず裏面側の清掃ブラシが先にフィルタに接触する。
【００１１】
裏面側の清掃ブラシと表面側の清掃ブラシとは異なる種類のブラシとされる。空気がフィルタを通り抜けるときに捕集される塵埃の量は、フィルタの表裏面によって差が出る。そこで、各面に接触する清掃ブラシの種類を異ならせることにより、効率よく塵埃をフィルタから取り除くことができる。例えば、フィルタの表面から裏面に空気が通り抜ける場合、フィルタの表面に接触する清掃ブラシには、掻き取り能力の高い大きなブラシが適している。裏面に接触する清掃ブラシには、フィルタの目に詰まった塵埃を取り除けるように、目の細かいブラシが適している。
【発明の効果】
【００１２】
本発明によると、フィルタの表裏面での塵埃の付着具合やフィルタの移動方向を考慮して、複数の清掃ブラシを適正にフィルタを挟んで配置することができ、各清掃ブラシの能力を効率的に発揮させることができる。したがって、フィルタに付着した塵埃をより確実に除去することができ、信頼性の高いフィルタ清掃装置を実現できる。
【発明を実施するための最良の形態】
【００１３】
本実施形態のフィルタ清掃装置を搭載した空気調節装置として、空気調和機の室内ユニットを図１，２に示す。室内ユニットのキャビネット１は、高さが低く、奥行きがある扁平な形状とされる。キャビネット１の天面に吸込口２が形成され、前面に吹出口３が形成される。キャビネット１の内部に、吸込口２から吹出口３に至る空気通路４が形成され、空気通路４に熱交換器５および送風機６が配される。
【００１４】
吹出口３は、左右にそれぞれ形成され、キャビネット１の前面に、各吹出口３を覆うパネル７がそれぞれ設けられる。パネル７は開閉自在とされ、冷房運転、暖房運転等の運転モードに応じてパネル７が開き、吹出口３が開放される。
【００１５】
吸込口２と熱交換器５との間に、吸い込んだ空気の塵埃を捕集するフィルタ８が設けられ、フィルタ８を清掃するフィルタ清掃装置が設けられる。図３に示すように、２つのフィルタ８が左右にそれぞれ設けられ、これらのフィルタ８は、左右方向にわたって形成された吸込口２から吸い込まれた空気の塵埃を捕集する。フィルタ８の表面から裏面に空気が通り抜けるので、フィルタ８の表面側には、裏面側よりも多くの塵埃が付着する。
【００１６】
フィルタ８は、左右方向に移動自在にキャビネット１に支持されている。フィルタ８は、通常時には、キャビネット１の天面に平行な状態で定位置に保持され、フィルタ清掃時に移動される。フィルタ８は、図４に示すように、四角い枠１０に桟１１が格子状に形成され、桟１１によって区画された開口にメッシュフィルタ１２が嵌め込まれたものである。枠１０の前後方向の端縁が波形に形成されて、枠１０の表面および裏面にラック１３がそれぞれ形成される。ラック１３は、左右方向に沿って平行に形成されており、ラック１３に噛み合う駆動ギア１４の回転により、フィルタ８は左右方向に移動する。
【００１７】
フィルタ８は、枠体１５に収容される。枠体１５はキャビネット１に装着される。枠体１５は左右に独立して配置される。枠体１５は、箱状に形成され、フィルタ８を前後方向および左右方向にスライド可能に保持する。枠体１５の上面および下面に格子窓１６が形成され、吸い込まれた空気が枠体１５を通り抜ける。枠体１５の前面は開口しており、フィルタ８を前側に向かってスライドさせることにより、開口からフィルタ８を取り出せる。開口にフィルタ８を差し込んで、後側にスライドさせることにより、フィルタ８が枠体１５に装着される。枠体１５の一方の側面も開口しており、フィルタ８が左右方向に移動したとき、フィルタ８は枠体１５から突出可能とされる。
【００１８】
枠体１５は、キャビネット１に設けられた図示しないガイドによって支持されている。ガイドは、各枠体１５の左右両側に設けられ、それぞれの枠体１５をキャビネット１の天面に平行な状態で、同一高さで支持する。なお、ガイドは前後方向に伸縮自在とされ、枠体１５はガイドに沿って前後方向にスライドする。枠体１５が前方に移動することにより、ユーザは、フィルタ８の着脱を容易に行える。
【００１９】
フィルタ清掃装置は、フィルタ８から塵埃を除去するための除塵部２０と、除去した塵埃を収集する集塵部２１と、除塵部２０に対してフィルタ８を移動させる移動部２２とを備えている。
【００２０】
除塵部２０は、図３，５に示すように、細長い除塵ボックス２３を有し、除塵ボックス２３に複数の清掃ブラシ２４，２５が内装されている。フィルタ８は、除塵ボックス２３を貫通するように通過し、通過中に清掃ブラシ２４，２５によってフィルタ８に付着した塵埃が取り除かれる。除塵部２０は、キャビネット１の左右方向の中央において、左右の枠体１５の間に位置し、前後方向に沿って配置される。
【００２１】
除塵ボックス２３は、前後方向が開放された筒状とされ、左右両側に、フィルタ８が通過可能な通過口２６が前側から後側にかけて形成される。通過口２６には、ゴム等の弾性を有するシール部材２７が取り付けられている。フィルタ８が除塵ボックス２３を通り抜けるとき、シール部材２７は、フィルタ８に接触して、隙間を塞ぐ。
【００２２】
集塵部２１は、除塵ボックス２３内の空気を吸引することにより塵埃を集める。集塵部２１は、吸引ファン３０および集塵ボックス３１を備えている。図２に示すように、集塵ボックス３１は、キャビネット１の左右方向の中央の下部に配され、除塵ボックス２３の後側の開口と集塵ボックス３１とを連通する吸引ダクト３２が、キャビネット１の後側に形成される。吸引ダクト３２に、吸引ファン３０が介装される。
【００２３】
除塵ボックス２３の前側の開口が吸気口とされ、吸引ファン３０が作動すると、吸気口から吸い込まれた空気が除塵ボックス２３内を通って、吸引ダクト３２から集塵ボックス３１に流れ込む。除塵ボックス２３内に発生した風によって、フィルタ８から除去された塵埃が集塵ボックス３１まで運ばれ、塵埃が集塵ボックス３１に収集される。
【００２４】
移動部２２は、同一高さにある２つのフィルタ８の一方を移動させて除塵部２０に導く。除塵ボックス２３の通過口２６は、フィルタ８よりも一段高い位置にある。移動部２２は、フィルタ８を持ち上げる平行移動機構と、フィルタ８を左右方向に移動させて除塵ボックス２３を通過させる搬送機構とを有する。左右の通過口２６を結ぶラインが、フィルタ８の移動する搬送ラインとされる。
【００２５】
平行移動機構は、フィルタ８を収容した枠体１５を昇降させることにより、フィルタ８を除塵ボックス２３に対して平行移動させる。すなわち、左右いずれか一方のフィルタ８は、除塵ボックス２３の通過口２６と同じ高さまで上昇し、搬送ラインに沿って除塵ボックス２３内を通過可能となる。他方のフィルタ８は、低い位置に留まっている。平行移動機構は、左右のフィルタ８に対して設けられ、一方のフィルタ８の清掃が終了すると、他方のフィルタ８が移動される。
【００２６】
平行移動機構として、図５に示すように、平行リンク機構が利用される。平行移動機構は、左右方向に配された回動軸４０および従動軸４１、回動軸４０および従動軸４１に取り付けられたカムとしてのローラ４２付きのアーム４３、左右のアーム４３を連結するリンク４４、回動軸４０を回転させる昇降モータ（図示せず）から構成される。
【００２７】
回動軸４０および従動軸４１は、前後方向に平行な方向に配され、キャビネット１に回転自在に支持される。アーム４３は、回動軸４０あるいは従動軸４１と一体的に回動可能とされ、前後左右に設けられる。アーム４３の一端にローラ４２が回転自在に取り付けられ、他端にリンク４４が回転自在に取り付けられる。リンク４４は、左右方向に沿って配され、前後一対に設けられる。昇降モータは、回動軸４０の後端に接続される。
【００２８】
左右のローラ４２は、通常時、枠体１５から離れている。昇降モータが駆動すると、回動軸４０が反時計周りに回転して、アーム４３も回動する。リンク４４により、左右のアーム４３が連動して起き上がる。左右のローラ４２が上昇して、枠体１５に当接し、アーム４３の回転に伴って枠体１５が持ち上げられる。フィルタ８が搬送ラインまで上昇すると、昇降モータは停止し、枠体１５は、前後左右のアーム４３によって、この高さで保持される。なお、昇降モータは、左右のフィルタ８に対してそれぞれ設けられ、フィルタ清掃時にいずれか一方の昇降モータが駆動される。
【００２９】
搬送機構は、枠体１５のラック１３に噛み合う駆動ギア１４および搬送モータ５０から構成される。駆動ギア１４は、除塵ボックス２３の左右両側かつ前後一対に設けられる。前後の駆動ギア１４は、回転軸５１に取り付けられる。回転軸５１は、除塵ボックス２３に回転自在に支持され、回転軸５１の後端に搬送モータ５０が接続される。搬送モータ５０は、左右の回転軸５１に対してそれぞれ設けられ、２つの搬送モータ５０は同期して駆動される。
【００３０】
枠体１５の中央側の端部に、切欠５２が形成される。切欠５２は、前後にも形成され、駆動ギア１４が進入可能とされる。枠体１５が持ち上げられたとき、切欠５２に駆動ギア１４が入り込み、フィルタ８のラック１３と噛み合う。搬送モータ５０が駆動されると、駆動ギア１４が回転して、フィルタ８が左右方向に移動する。搬送モータ５０は、正逆回転可能とされ、フィルタ８が左右方向に往復移動する。
【００３１】
ここで、除塵ボックス２３内の複数の清掃ブラシ２４，２５は、図５に示すように、搬送ラインを挟んで上下に設けられ、各清掃ブラシ２４，２５は、前後方向沿って配される。搬送ラインの上側に１つの清掃ブラシ２４が配され、搬送ラインの下側に２つの清掃ブラシ２５が配される。下側の清掃ブラシ２５は、上側の清掃ブラシ２４を挟んで左右両側に配置される。下側の清掃ブラシ２５は、通過口２６から除塵ボックス２３内に入ってきたフィルタ８に上側の清掃ブラシ２４よりも先に接触する。
【００３２】
上側の清掃ブラシ２４と下側の清掃ブラシ２５とは、ブラシの種類が異なる。フィルタ８の表面に接触する上側の清掃ブラシ２４は、多くの塵埃を除去しなければならないので、掻き取り力のあるゴム製のブレード５５を有するブラシが用いられる。上側の清掃ブラシ２４は、支持軸５６に複数のブレード５５が螺旋状に巻き付けられて形成される。フィルタ８の裏面に接触する下側の清掃ブラシ２５には、フィルタ８の目に詰まった塵埃を取り除くことを目的とし、目の細かいブラシとして、ブラシ毛５７を有するブラシが用いられる。下側の清掃ブラシ２５は、支持軸５６にブラシ毛５７の複数の列が螺旋状に植え込まれて形成される。
【００３３】
各清掃ブラシ２４，２５の支持軸５６の後端が除塵ボックス２３に回転自在に支持される。各支持軸５６の前端には、ギアが取り付けられている。上側の清掃ブラシ２４のギアは、下側の一方の清掃ブラシ２５のギアと直接噛み合わされる。下側の左右の清掃ブラシ２５のギアは、中間ギアを介して接続される。そして、３つの支持軸５６の１つに清掃モータ５８が接続される。
【００３４】
清掃モータ５８の駆動により、下側の各清掃ブラシ２５は、同じ方向に回転し、上側の清掃ブラシ２４は、逆方向に回転する。また、清掃モータ５８は、正逆回転可能とされ、フィルタ８の移動方向に応じて回転駆動される。すなわち、搬送ライン上において、フィルタ８の移動方向と上下の清掃ブラシ２４，２５の回転方向とは同じ方向を向くように、各清掃ブラシ２４，２５は回転される。例えば、フィルタ８が右から左に移動するとき、上側の清掃ブラシ２４は時計回りに回転し、下側の清掃ブラシ２５は反時計回りに回転する。このように回転制御することにより、清掃ブラシ２４，２５の回転力がフィルタ８に加わり、フィルタ８はよりスムーズに搬送される。したがって、フィルタ８をすばやく清掃することができ、清掃による冷暖房等の運転の停止時間を短くできる。
【００３５】
なお、搬送ライン上において、フィルタ８の移動方向と上下の清掃ブラシ２４，２５の回転方向との関係は、目的に応じて設定される。搬送ライン上におけるフィルタ８の移動方向と清掃ブラシ２４，２５の回転方向とを逆方向を向くように、各清掃ブラシ２４，２５の回転を制御してもよい。例えば、フィルタ８が右から左に移動するとき、上側の清掃ブラシ２４は反時計回りに回転し、下側の清掃ブラシ２５は時計回りに回転する。これにより、フィルタ８と上側の清掃ブラシ２４および下側の清掃ブラシ２５との相対速度が増し、塵埃がフィルタ８から離脱しやすくなる。したがって、フィルタ８に対する清掃能力を高めることができる。
【００３６】
また、搬送ライン上におけるフィルタ８の移動方向と上側の清掃ブラシ２４の回転方向とを逆方向を向くように、かつフィルタ８の移動方向と下側の清掃ブラシ２５の回転方向とを同じ方向を向くように、各清掃ブラシ２４，２５の回転を制御してもよい。例えば、フィルタ８が右から左に移動するとき、上側の清掃ブラシ２４は反時計回りに回転し、下側の清掃ブラシ２５も反時計回りに回転する。すなわち、上下の清掃ブラシ２４，２５の回転方向は同じ方向となっている。これにより、下側の清掃ブラシ２５の回転力がフィルタ８に加わり、フィルタ８は搬送されやすくなるとともに、フィルタ８と上側の清掃ブラシ２４との相対速度が増し、塵埃がフィルタ８から離脱しやすくなる。したがって、清掃時間の短縮および清掃能力の向上の両立を図れる。
【００３７】
また、搬送ライン上におけるフィルタ８の移動方向と上側の清掃ブラシ２４の回転方向とを同じ方向を向くように、かつフィルタ８の移動方向と下側の清掃ブラシ２５の回転方向とを逆方向を向くように、各清掃ブラシ２４，２５の回転を制御してもよい。例えば、フィルタ８が右から左に移動するとき、上側の清掃ブラシ２４は時計回りに回転し、下側の清掃ブラシ２５も時計回りに回転する。すなわち、上下の清掃ブラシ２４，２５の回転方向は同じ方向となっている。これにより、上側の清掃ブラシ２５の回転力がフィルタ８に加わり、フィルタ８は搬送されやすくなるとともに、フィルタ８と下側の清掃ブラシ２４との相対速度が増し、塵埃がフィルタ８から離脱しやすくなる。したがって、清掃時間の短縮および清掃能力の向上の両立を図れる。
【００３８】
そして、本空気調和機は、冷暖房等の運転を制御する制御装置を備えている。ＣＰＵ等を有する制御装置は、運転モードに応じて冷凍サイクルを制御するとともに送風機６の駆動やパネル７の開閉を制御する。また、制御装置は、フィルタ清掃装置を制御して、フィルタ清掃運転を実行する。制御装置は、運転の累積時間が所定時間に達したとき、光センサ等のフィルタの汚れを検出する検出センサによってフィルタの汚れ度合いが規定値を超えたとき、あるいはユーザがフィルタ清掃ボタンの操作を行ったときに、吸引ファン３０、清掃モータ５８、昇降モータおよび搬送モータ５０を駆動制御して、フィルタ清掃運転を行う。なお、清掃ブラシ２４，２５の回転方向は、予め標準設定されているが、ユーザの操作によって設定を変更することは可能である。
【００３９】
フィルタ清掃運転が開始されると、制御装置は、まず左右いずれか一方のフィルタ８を移動させる。昇降モータが駆動され、アーム４３が回動して、枠体１５が持ち上げられる。フィルタ８が搬送ラインの高さまで上昇すると、フィルタ８のラック１３と駆動ギア１４とが噛み合う。搬送モータ５０が駆動されるとともに、清掃モータ５８および吸引ファン３０が駆動される。フィルタ８は、左右方向に移動し、除塵ボックス２３に対向する側面の開口を通って、除塵ボックス２３に向かう。
【００４０】
フィルタ８が通過口２６を通って除塵ボックス２３の中に入ると、下側の清掃ブラシ２５がフィルタ８の裏面に当たる。フィルタ８の目に詰まっている塵埃が表面側に押し上げられる。さらにフィルタ８が移動すると、上側の清掃ブラシ２４がフィルタ８の表面に当たる。押し上げられた塵埃がフィルタ８の表面側に付着した塵埃とともに掻き取られ、フィルタ８から塵埃が除去される。除塵ボックス２３内に舞い上がった塵埃は、吸引ファン３０の吸引によって生じた風に吹き流され、吸引ダクト３２を通じて集塵ボックス３１に収集される。このように、フィルタ８に塵埃が目詰まりすることなく、フィルタ８から塵埃を確実に除去できる。
【００４１】
清掃されたフィルタ８が、反対側の通過口２６から出て除塵ボックス２３を通り抜ける。フィルタ８は、他方の枠体１５上をスライドしていく。フィルタ８が折り返し位置に到達すると、搬送モータ５０が逆方向に回転され、フィルタ８は逆方向に移動する。
【００４２】
フィルタ８は、再び除塵ボックス２３を通過して、枠体１５に戻される。このとき、清掃ブラシ２４，２５は、行きのときとは逆方向に回転される。フィルタ８が除塵部２０に対して往復移動することにより、フィルタ８を２回清掃することができ、付着した塵埃をきれいに除去することができる。
【００４３】
フィルタ８が枠体１５に収容されると、昇降モータが駆動され、アーム４３が逆方向に回動し、枠体１５が下降する。これと同時に、他方の昇降モータが駆動され、他方の枠体１５が持ち上げられる。この後、同様に、他方のフィルタ８が往復移動され、フィルタ８の清掃が行われる。
【００４４】
フィルタ８を搬送しながら清掃するフィルタ清掃運転時において、移動するフィルタ８に対して、複数の清掃ブラシ２４，２５が異なる位置で接触する。そのため、従来のようにフィルタ８が両側から挟み付けられて、フィルタ８の移動を妨げるといったことをなくせる。フィルタ８の移動に対する抵抗が少なくなり、フィルタ８をスムーズに移動させることができる。したがって、フィルタ８は一定のスピードで移動するので、清掃ブラシ２４，２５による塵埃の除去にむらが生じることはなく、フィルタ８を満遍なく清掃することができる。
【００４５】
清掃ブラシの他の形態として、図６に示すように、毛ブラシを用いる。下側の清掃ブラシが毛ブラシ６０とされ、除塵ボックス２３に固定される。上側の清掃ブラシ２４は、上記のブラシと同じであり、毛ブラシ６０は、上側の清掃ブラシ２４を挟んで左右両側に配置される。その他の構成は、上記のものと同じである。
【００４６】
上記の実施形態では、フィルタ８が２つであるが、フィルタ８が１つの場合、図７に示すように、フィルタ８は、除塵ボックス２３に一側から入ってくる。下側の清掃ブラシ２５は、上側の清掃ブラシ２４よりもフィルタ８の移動方向において上流側に配置される。下側の清掃ブラシ２５を左右方向に移動可能としてもよい。フィルタ８の進入に応じて清掃ブラシ２５は移動する。フィルタ８が左右いずれの方向から進入してみても、清掃ブラシ２５を常に移動方向の上流側に位置させることができる。
【００４７】
なお、本発明は、上記実施形態に限定されるものではなく、本発明の範囲内で上記実施形態に多くの修正および変更を加え得ることは勿論である。上記のフィルタ清掃装置は、空気調和機以外の加湿機、除湿機、空気清浄機、ファンヒータといった空気調節装置に搭載してもよい。
【００４８】
フィルタと除塵部とを相対的に移動させてもよい。すなわち、上記では、フィルタが移動するが、除塵部を移動可能とし、フィルタに対して除塵部が移動する。この場合でも、清掃ブラシの配置は上記と同じである。また、上側の清掃ブラシは複数であってもよく、上側の清掃ブラシと下側の清掃ブラシとは、上下に重ならないようにずれて配置される。
【００４９】
清掃ブラシは、上下とも回転しない方式のブラシであってもよい。上下とも毛ブラシ、あるいは上側が固定ブレード、下側が毛ブラシといった様々な組み合わせとしてもよい。また、下側が回転ブラシ、上側が固定ブレードであってもよい。
【図面の簡単な説明】
【００５０】
【図１】本発明の空気調和機の室内ユニットの斜視図
【図２】室内ユニットの内部の概略構成を示す断面図
【図３】フィルタ清掃装置の斜視図
【図４】フィルタの斜視図
【図５】フィルタ清掃装置の正面図
【図６】他の形態の清掃ブラシを備えた除塵ボックスを示す図
【図７】フィルタが１つの場合に対応するフィルタ清掃装置の正面図
【符号の説明】
【００５１】
１    キャビネット
２    吸込口
８    フィルタ
１３    ラック
１４    駆動ギア
１５    枠体
２０    除塵部
２１    集塵部
２２    移動部
２４    清掃ブラシ
２５    清掃ブラシ
５０    搬送モータ
５５    ブレード
５６    支持軸
５７    ブラシ毛
５８    清掃モータ
【図１】
2010127515.tif 000003
【図２】
2010127515.tif 000004
【図３】
2010127515.tif 000005
【図４】
2010127515.tif 000006
【図５】
2010127515.tif 000007
【図６】
2010127515.tif 000008
【図７】
2010127515.tif 000009